(57)【要約】【課題】  滑り止め効果が大きく、且つ堅牢度や経済性にも優れた滑り止め付き材料の提供。【解決手段】  基材の一面に熱可塑性エラストマーからなる皮膜を形成したことを特徴とする。【選択図】      図１
2005144960.tif 000002
【特許請求の範囲】
【請求項１】
基材の一面に熱可塑性エラストマーからなる皮膜を形成したことを特徴とする滑り止め付き材料。
【請求項２】
基材が、プラスチック段ボール、紙段ボール、プラスチック結束バンドの何れかであることを特徴とする請求項１記載の滑り止め付き材料。
【請求項３】
熱可塑性エラストマーが、オレフィン系熱可塑性エラストマーであることを特徴とする請求項１又は２記載の滑り止め付き材料。
【請求項４】
基材の一面に溶かした熱可塑性エラストマーを塗布し、その直後に冷却することを特徴とする滑り止め付き材料の製造方法。
【請求項５】
熱可塑性エラストマーを、ロールコータによって基材に塗布することを特徴とする請求項４記載の滑り止め付き材料の製造方法。
【発明の詳細な説明】
【技術分野】
【０００１】
本発明は、製品を梱包する梱包箱や製品にあてがう緩衝材、梱包した製品を結束する結束バンドなどの梱包資材や、建築用の保護材や養生材などとして広く用いることのできる滑り止め付き材料と、その製造方法に関する。
【背景技術】
【０００２】
製品を梱包する梱包箱には段ボールが通常用いられているが、段ボールは表面が滑りやすく、輸送途中などに荷崩れを起こすおそれがある。また段ボールは、建物の建築中に床を保護するために床にガムテープ等で貼ったりもするが、その上を人が通るうちにガムテープが剥れ、床から滑ってずり動いてしまう。近年では、従来の紙製の段ボールの他にプラスチック製の段ボールが登場し、アルミ建材の梱包などに盛んに利用されるようになっている。プラスチック段ボールは紙製の段ボール以上に滑りやすいため、上記の問題が一層顕著となっている。また梱包したものは、通常は結束バンドにより結束されるが、結束バンドも滑りやすいプラスチック製であり、その結束バンドで床等に接するために、余計に荷崩れを起こしやすくなっている。
【０００３】
現在、プラスチック段ボールに対する滑り止めとしては、モールド処理を行って表面を凹凸状にしたり、表面にシリコンを塗布したり、ゴム状のシートを貼着したりといった手法がとられている。しかしモールド処理により表面を凹凸状とする手法は、摩擦係数が同じで接地面積が小さくなるだけなので滑り止め効果はほとんど発揮されず、シリコンの塗布やゴム状シートの貼着による手法は、滑り止め効果は得られるものの、滑り止めの堅牢度、経済性などの点で問題があった。
【発明の開示】
【発明が解決しようとする課題】
【０００４】
本発明は以上に述べた実情に鑑みてなされたものであって、滑り止め効果が大きく、且つ堅牢度や経済性にも優れた滑り止め付き材料の提供を目的とする。
【課題を解決するための手段】
【０００５】
上記の課題を達成するために、請求項１記載の発明による滑り止め付き材料は、基材の一面に熱可塑性エラストマーからなる皮膜を形成したことを特徴とする。基材の材質は限定されず、樹脂、木、紙など、様々な材質に対応できる。熱可塑性エラストマーとしては、例えばオレフィン系やスチレン系の熱可塑性エラストマーを使用できる。本発明の滑り止め付き材料は、主に梱包資材や、建築用の保護材などとして用いることが考えられるが、これらに限らず滑り止めが必要な場面で広く用いることができる。熱可塑性エラストマーの皮膜は、基材の片側の面のみに形成してもよいし、基材の両側の面に形成してもよい。
【０００６】
請求項２記載の発明は、基材が、プラスチック段ボール、紙段ボール、プラスチック結束バンドの何れかであることを特徴とする。
【０００７】
請求項３記載の発明は、熱可塑性エラストマーが、オレフィン系熱可塑性エラストマーであることを特徴とする。
【０００８】
請求項４記載の発明による滑り止め付き材料の製造方法は、基材の一面に溶かした熱可塑性エラストマーを塗布し、その直後に冷却することを特徴とする。冷却は、室温で自然に冷却するよりも、冷却空気を当てるなどして強制的に冷却するのが好ましい。これにより、基材がポリプロピレン等の熱変形しやすい材質であったとしても、熱可塑性エラストマーを塗布する際の熱による基材の変形を防止できる。
【０００９】
請求項５記載の発明は、熱可塑性エラストマーを、ロールコータによって基材に塗布することを特徴とする。
【発明の効果】
【００１０】
本発明による滑り止め付き材料は、基材の一面に熱可塑性エラストマーからなる皮膜を形成したので、床面等に密着して高い滑り止め効果を発揮する。また本発明は、基材の一面に溶かした熱可塑性エラストマーを塗布し、その直後に冷却して熱可塑性エラストマーの皮膜を形成するので、基材がポリプロピレン等の熱に弱い材質であっても、熱可塑性エラストマーを塗布する際の基材の熱変形を防止できると共に、熱可塑性エラストマーの皮膜が基材の表面に剥離不能に強固に付着し、使用中に当該皮膜が基材から剥がれ落ちたりすることもなく、滑り止め効果が長期間持続する。また、熱可塑性エラストマーをロールコータによって塗布することで、熱可塑性エラストマーを基材の一面に薄く引き延ばして連続的に塗布することができ、熱可塑性エラストマーの使用量を少なくできること、生産効率が高いことから、滑り止め付き材料を安価に提供できる。基材としてプラスチック段ボール、紙段ボール、プラスチック結束バンドを用いたときには、梱包資材や建築資材として広範に且つ大量に利用されることが期待でき、もともと滑りやすいこれらの部材に高性能の滑り止めが付加されることで、産業界への貢献度は極めて大きいものと考えられる。
【発明を実施するための最良の形態】
【００１１】
本発明を実施するための最良の形態として、基材となるプラスチック段ボールの表面に熱可塑性エラストマーの皮膜を形成したものについて説明する。プラスチック段ボールは、酒井化学工業株式会社製の商品名「ミナダン」の、板厚が５ｍｍ、６ｍｍのものを使用した。この商品は、ポリプロピレンを押出成形して段ボール状の中空構造シートに一体成形したものである。熱可塑性エラストマーは、ヤスハラケミカル株式会社製の商品名「ヒロダイン８７３３」を用いた。この熱可塑性エラストマーはオレフィン系熱可塑性エラストマーであり、１９５℃に加熱することで溶融し、溶剤で希釈せずにそのまま使用できる。
【００１２】
図１は、プラスチック段ボールの一面に熱可塑性エラストマーの皮膜を形成するための装置の概要を示している。この装置は、ホットメルト接着用のロールコータを応用したもので、回転しながら基材１の表面に熱可塑性エラストマー２を塗布するメインロール３と、熱可塑性エラストマー２の塗布量を調整するドクター４と、メインロール３と共に基材１を挟んで回転して基材を前方に送るアンダーロール５と、熱可塑性エラストマーを塗布した直後に基材１を冷却する冷却装置６とを備えている。布製品にホットメルト接着剤を塗布する従前のロールコータにあっては、基材に塗布したホットメルト接着剤が、基材とメインロールとの間で糸を引いたような状態となるため、これを防止するために塗布後に加熱手段で加熱し、塗布したホットメルト接着剤を再度溶かしてから乾燥させるようにしている。一方本装置では、熱可塑性エラストマーを塗布した直後に冷却して熱可塑性エラストマーを固化し、プラスチック段ボールが熱可塑性エラストマーを塗布する際の熱により反り返るように変形するのを防いでいる。冷却装置は、例えば冷風を発生させるものを用いることができる。
【００１３】
この装置により、前記プラスチック段ボールの表面に、１９５℃に加熱して溶かした前記熱可塑性エラストマーを、５０ｇ／ｍ２、７５ｇ／ｍ２、１００ｇ／ｍ２の目付量で塗布した。塗布スピードは約１０ｍ／分で行った。その結果、３種類の目付量のいずれのものにおいても、優れた滑り止め効果が発揮されることが確認された。熱可塑性エラストマーを塗布した直後に冷却装置で冷却することで、プラスチック段ボールの熱変形が防がれ、且つプラスチック段ボールの表面に均一な熱可塑性エラストマーの皮膜が剥離不能に強固に付着した。この滑り止め付きプラスチック段ボールは、製品の梱包箱、仕切り、緩衝材といった梱包資材としての用途の他、建物の床を保護する保護シートや、養生シートといった建築分野でも好適に利用できる。また、紙製の普通の段ボールにも、上記と同じ要領で同じように高性能の滑り止めを付加することができる。熱可塑性エラストマーの皮膜は、段ボールの片面のみならず両面に形成してもよく、そうすることで例えばアルミサッシ等の製品を段積みする際に当該段ボールを間に挟むだけで、簡単に荷崩れを防止できる。
【００１４】
熱可塑性エラストマーを塗布する基材としては、段ボールに限らず様々なものを用いることができ、ベニヤ板や発泡スチロールのシート等であってもよい。また、プラスチック結束バンド（いわゆるＰＰバンド）の表面に、熱可塑性エラストマーの皮膜を形成したときには、滑り止め効果により対象物を強く締め付けて結束力が向上するばかりでなく、滑り止めの付いてない段ボール箱に本結束バンドを巻き掛けただけでも、段ボールが同結束バンドの部分で床と接触して滑り止め効果が得られ、荷崩れを防止することができる。
【図面の簡単な説明】
【００１５】
【図１】基材の一面に熱可塑性エラストマーの皮膜を形成するための装置の概要を示す図である。
【符号の説明】
【００１６】
１  基材
２  熱可塑性エラストマー
３  メインロール
４  ドクター
５  アンダーロール
６  冷却装置
【図１】
2005144960.tif 000003